Podtech/llm-jp-corpus-v4-ja_patent huggingface dataset:
(57)【要約】【課題】ポケットより携帯電話や財布を取り出す際、落とすことなく取り出し、使用する際の煩わしさをなくした小物装着用金具を提供する。【解決手段】ベルトに金具１を取り付け、皮革部分３に取り付けたリング金具２を用いて、携帯電話や財布を固定する。この際、鎖４と紐５を用いることによりリング金具２を連結することで、これらは一体のものとなる。但し、これら携帯電話或いは財布をポケットから取り出すときはリング金具２とベルト金具１は容易にはずれることを特徴とする小物装着用金具。【選択図】図１
0003125963.tif 000002
【実用新案登録請求の範囲】
【請求項１】
ベルト取り付けられた金具と携帯電話や財布に取り付けられたリング金具がポケット取り出し時に容易にはずれることを特徴とする小物装着用金具。
【請求項２】
上記リング金具は皮革部分に取り付けられた請求項１の小物装着金具。
【請求項３】
上記リング金具を請求項１のベルト取り付けられた金具に連結時には一体となり、連結された携帯電話や財布等の小物が挿入されたポケットから落下することを防止する小物装着金具。
【考案の詳細な説明】
【技術分野】
【０００１】本考案は携帯電話や財布をポケットより取り出し時に落下することなく簡単に取り出し、なお且つ、その使用時においては容易に連結部分がはずれ、鎖等の長さを気にせずに小物（携帯電話・財布）の使用を可能とするものである。
【背景技術】
【０００２】従来までの小物装着金具は、たとえば携帯電話用のものであり、紐或いは鎖を携帯電話等に取り付けることにより、落下を防止していた。
【考案の開示】
【考案が解決しようとする課題】
【０００３】これらは連結部分となる紐或いは鎖が着衣に固定されている為、上着等を引っ掛けることがあった。更に、これら紐或いは鎖は無理に引っ張ると携帯電話等の使用において、物理的制限がかかるものであった。
【課題を解決するための手段】
【０００４】ベルトに取り付けた金具と小物（携帯電話・財布）部分が容易にはずれることにより、上着等を引っ掛けることを防止できた。また、小物（携帯電話・財布）の使用時においての物理的制限を考える必要がなくなった。更に、ポケットに収納する際、ベルト金具とリング金具が連結され一体となり小物（携帯電話や財布）の落下を防止することも出来た。
【考案の効果】
【０００５】ベルトに取り付けた金具と小物（携帯電話・財布）部分が容易にはずれることにより、連結されたままの物より自由な使用が可能となった。
ベルトに取り付けた金具から、接続の為に伸びた紐或いは鎖による、上着等の引っ掛けが防止できるようになった。
【考案を実施するための最良の形態】
【０００６】本考案の実施形態を、図面を参照して詳述する。
図１は、本考案の実施形態を示したものである。
図２は、小物（携帯電話・財布）に取り付けられるストラップ部分の側面図である。
図３は、小物（携帯電話・財布）に取り付けられるストラップ部分の正面図である。【０００７】小物（携帯電話・財布）に５（紐部分）をとおすことで、４（鎖部分）３（皮革部分）２（リング金具）を一体とする。
図１のように、ポケット収納時はベルトに取り付けられた１（ベルト金具）に２（リング金具）を引っ掛けることで、小物は固定される。
これら小物使用時は容易に１（ベルト金具）より２（リング金具）が容易にはずれ、小物は物理的な制約を受けない。
このことにより、小物（携帯電話・財布）使用時は自由な動きを可能とする。【０００８】１（ベルト金具）はステンレス或いはスチ−ルの変形しにくい材質である。
また、４（鎖部分）の３（持ち手）となるところは皮革或いは合成皮革である。
４（鎖部分）はスチ−ル或いは真鍮等の強度持つ材質である。
【図面の簡単な説明】
【０００９】
【図１】本考案の実施形態を示す小物装着金具が結合して、一体となった図である。
【図２】本考案の小物（携帯電話・財布）に取り付けられるストラップ部分の側面図である。
【図３】本考案の小物（携帯電話・財布）に取り付けられるストラップ部分の正面図である。
【図４】本考案のベルトに取り付けられる金具である。
【符号の説明】
【００１０】１  ベルト金具
２  リング金具
３  持ち手
４  鎖部分
５  紐部分
【図１】
0003125963.tif 000003
【図２】
0003125963.tif 000004
【図３】
0003125963.tif 000005
【図４】
0003125963.tif 000006
【手続補正書】
【提出日】平成18年4月21日(2006.4.21)
【手続補正１】
【補正対象書類名】実用新案登録請求の範囲
【補正対象項目名】請求項１
【補正方法】変更
【補正の内容】
【請求項１】
上部に開口部分を有するベルトに取り付けられた金具と携帯電話や財布に紐で取り付けられたリング金具は、ポケット取り出し時に上方に引き上げられることにより、上部開口部分より容易にはずれることを特徴とする小物装着金具。
【手続補正２】
【補正対象書類名】実用新案登録請求の範囲
【補正対象項目名】請求項３
【補正方法】変更
【補正の内容】
【請求項３】
上記リング金具はベルトに取り付けられた金具に連結時には一体となり、連結された携帯電話や財布が挿入されたポケットから落下することを防止する請求項１の小物装着金具。
【手続補正書】
【提出日】平成18年6月28日(2006.6.28)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
上部に開口部分を有するベルトに取り付けられた金具と携帯電話や財布に紐で取り付けられたリング金具は、ポケット取り出し時に上方に引き上げられることにより、上部開口部分より容易にはずれることを特徴とする小物装着金具。
【手続補正２】
【補正対象書類名】手続補正書
【補正対象項目名】手続補正２
【補正方法】削除
【補正の内容】
(57)【要約】      （修正有）【課題】従来のエアーシャワールームは、衣服の粉塵を吹き飛ばしたあと、下部・床等から吸引される間に気流が乱れ、再付着や室外漏洩があり、有害物質除去には不向きであった。  本考案のエアーシャワールームは、有害汚染物質除去等に従事する作業者の衣服等に付着した有害物質を、安全確実に除去・捕捉し、自身と周囲の二次汚染を防止する。【解決手段】吹き出し面の対面の壁面の大部分から吸引することにより、吹き飛ばしたあと気流の乱れが少なく最短で捕捉され、再付着や漏洩を防止することができる。【選択図】図１
0003125967.tif 000002
【実用新案登録請求の範囲】
【請求項１】
体や物に付着した粉塵や菌などを落とすエアーシャワールームで、内壁の１面から清浄空気を高速で吹き出すと同時に、対面または側面の壁面で吸引する気流を作り、吹き飛ばした粉塵や菌等を吹き出しとほぼ同一方向の気流で直ちに吸引することを特徴とするエアーシャワールーム。
【請求項２】
吹き出し側、吸引側空気ともヘパフィルターなどの高性能フィルターを通過させることにより粉塵や菌を吹き飛ばし、吹き飛ばされた粉塵や菌等は吸引されて直ちに高性能フィルターに捕捉され、再飛散や隙間等からの漏洩を防止することを特徴とするエアーシャワールーム。
【考案の詳細な説明】
【技術分野】
【０００１】  本考案は、有害物質除去に携わる作業者が体や機材などに付着した汚染物質を除去する為にエアーシャワーを浴びるとき、吹き飛ばされた汚染物質の再付着や漏洩により二次汚染を引き起こすことを防止するために、吹き出しの対面または側面から大面積で吸引するエアーシャワールームに関するものである。
【背景技術】
【０００２】  エアーシャワールームはクリーンルームに入室するときに、衣服に付着した粉塵を落とすための装置で、吹き飛ばされた粉塵はドアの隙間等から漏洩することがあり、作動時間が短いと再付着することがある。作動時間を長くすると再付着を防止することはできるが既に漏洩した粉塵に対処することができず、作業効率、エネルギー効率が低下する。
【考案の開示】
【考案が解決しようとする課題】
【０００３】  エアーシャワールームは、高速空気の吹き出しが水平１方向または２方向または２方向と天井の３方向からなされ、水平方向吹き出し面下部または床面から吸引される。粉塵を含んだ空気が吸引されるまでの距離が長く、気流方向が曲げられ、吸引方向以外の気流が発生し、再付着や隙間からの漏洩が発生する。有害物質除去に使用することができるように、この欠点を解決するものである。
【課題を解決する手段】
【０００４】  本考案は、吹き出された空気が衣服等の粉塵を落としたあと、ほぼ同一方向のまま対面または側面のほぼ全面から吸引することによって、粉塵を最短距離で捕捉することができる。吹き落とされた粉塵は吸引ルーバーに達するまで、他の構造物や対象人員の衣服等に接触することがないので再付着を防止することができる。吸引面は当該壁面の大部分の面積を占め、吹き出し空気量を上回る吸引量にすることにより、吸引方向以外の気流は発生しにくくなり、ドアの隙間等からの漏洩を防止することができる。
【考案の効果】
【０００５】  本考案のエアーシャワールームは、作動中に粉塵の再付着が起こりにくいため、通過時間を短縮することができるので作業効率を向上させ、省エネルギーを図ることができる。ドアの隙間等からの漏洩が起こりにくいので、有害物質除去に従事する作業の前室として使うことができる。
【考案を実施するための最良の形態】
【０００６】  吹き出しは壁の１面に吹き出しノズルを取り付け、吹き出し面と対面の壁に吸引のためのルーバーを取り付ける。出入口と吹き出し面以外の壁面は吸引面とする。吹き出し側・吸引側共に高性能フィルターを取り付け、清浄空気を吹き出し、吸引後直ちに粉塵を捕捉する配置とする。
【実施例】
【０００７】  従来の１方向吹き出し型エアーシャワールームとクリーンルーム内で比較テストをした。吸引面で０．５μｍ以上の微粒子を測定した結果、６０秒後の微粒子数が、従来型機の約２０分の１であった。漏洩微粒子は両機共ドアと床の隙間の屋外で、吹き出しと対面側で測定した結果、従来型機の約１００分の１以下という結果となった。
【産業上の利用可能性】
【０００８】  大気汚染防止法の規制の対象となる特定粉塵等有害物質の除去作業等に従事する作業者が使うエアーシャワールームは、自身の汚染を除去することは勿論であるが、室外に漏洩・飛散させては、自他ともに吸入する可能性があり、二次汚染を引き起こす。エアーシャワールームで漏洩や再飛散する物質は微細な粒子であり、濃度も少なく官能的に察知することは困難である。然るに極微量でも人体に有害であることはダイオキシン汚染など周知の事実である。一度大気中に飛散してしまうと対処することができない有害物質については、安全且つ確実に捕捉しなければならない。従って今後需要は増大するものと予測される。
【図面の簡単な説明】
【０００９】
【図１】  本考案のエアーシャワールームの縦断面図である。
【図２】  従来型エアーシャワールームの１例の断面図である。
【図３】  本考案のエアーシャワールームの平面図である。
【図４】  本考案のエアーシャワールームの正面図である。
【符号の説明】
【００１０】  １    吹出側チャンバー
２    吸気側チャンバー
３    送風機
４    吹き出しノズル
５    吸気ルーバー
６    リターンダクト
７    高性能フィルター
８    プレフィルター
９    出入口
１０  気流
１１  作業者
【図１】
0003125967.tif 000003
【図２】
0003125967.tif 000004
【図３】
0003125967.tif 000005
【図４】
0003125967.tif 000006
【手続補正書】
【提出日】平成18年6月23日(2006.6.23)
【手続補正１】
【補正対象書類名】実用新案登録請求の範囲
【補正対象項目名】全文
【補正方法】変更
【補正の内容】
【実用新案登録請求の範囲】
【請求項１】
体や物に付着した粉塵や菌などを落とすエアーシャワールームで、吹き飛ばされた粉塵等を短時間で吸引するため、吹出しの対面または他の壁面の全面または大部分の壁面から吸引可能な有孔壁を有することを特徴とするエアーシャワールーム。
【手続補正２】
【補正対象書類名】明細書
【補正対象項目名】００１０
【補正方法】変更
【補正の内容】
【００１０】１    吹出側チャンバー
２    吸気側チャンバー
３    送風機
４    吹出しノズル
５    有孔壁
６    リターンダクト
７    高性能フィルター
８    プレフィルター
９    出入口
１０  気流
１１  作業者
(57)【要約】      （修正有）【課題】手提げ紙袋の上部口部に蓋をし、外側から紙袋の中身を見えなくする。【解決手段】手提げ紙袋の上部口部４辺の内の両側側面短手２辺を外側へ押し広げ乍、相対する長手（２）２辺を口部の真ん中で互いの先端が接するように、互いに内側へ折り畳む。その時、紙袋口部の両側側面へ突き出た三角形状（５）に折り畳まれた部分を下方へ折り曲げ乍、内側へ折り畳んだ相対する長手（２）２辺の一方をもう一方の長手（２）の内側へ差し込み、その時下方へ折り畳んでいる口部両側側面の三角形状（５）の部分を紙袋側面に接する迄折り曲げて手提げ紙袋の上部口部に蓋をする。【選択図】図７
0003125970.tif 000002
【実用新案登録請求の範囲】
【請求項１】
従来の手提げ紙袋の手提げ紐を通している穴の位置を下方へ少し移動して、紙袋の上部口部４辺を折り畳めるようにし、手提げ紙袋の上部口部４辺の内の両側側面短手（１）２辺を外側へ押し広げ乍、上部口部相対する長手（２）２辺を口部の真ん中で互いの先端が接するように内側へ折り畳むと、それに伴って、外側へ押し広げている両側側面短手（１）の部分が三角形状（５）に折り畳まれて口部より外側へ突き出るので、その両側側面へ突き出た三角形状（５）の部分を紙袋の側面下方へ折り曲げ乍、内側へ折り畳んだ相対する長手（２）２辺のどちらか一方をもう一方の長手（２）の内側へ差し込み、下方へ折り曲げている両側側面の三角形状（５）の部分を紙袋側面に接する迄折り曲げて上部口部に蓋をする手提げ紙袋。
【考案の詳細な説明】
【考案の詳細な説明】
【技術分野】
【０００１】  本考案は品物を入れ、手に提げて持ち運ぶことができる手提げ紙袋に係わるものであり、詳しくは手提げ紙袋の形状及び使用方法に関するものである。
【背景技術】
【０００２】  従来の手提げ紙袋は、ほとんどが上部口部が開いた状態で使用している。又蓋をする機能が付いている物もあるが、それらは紙袋を床、机上に置いた時、蓋が自然に開き易い物、蓋をして置いておくには良いが、手に提げて持ち運ぶと蓋が浮き上がり、持ち運びには不適な紙箱などである。
【考案が解決しようとする課題】
【０００３】  従来の手提げ紙袋は、ほとんどが上部口部が開いたままで使用しているので中に入れている物が外側から他人に見られ易い。持ち物の中身はあまり人目には晒したくないし、外側から見え易い為、財布などが盗難に遭うことがある。
【０００４】  本考案は従来の形状の欠点を除く為になされたもので、その目的とするところは手提げ紙袋の上部口部に蓋をし、外側から紙袋の中身が見えないようにしたものである。
【課題を解決する為の手段】
目的を達成する為に、本考案は手提げ紙袋の上部口部４辺を折り畳み、口部に蓋をすることができるように、従来の手提げ紙袋の提げ紐を通している穴の位置を下方へ少し移動し、紙袋の上部口部４辺を折り畳めるようにする。
【０００５】  手提げ紙袋の上部口部４辺の内の両側側面短手（１）を口部の外側へ押し広げ乍、口部の相対する長手（２）、２辺を互いの先端が口部の真ん中で接するように、互いに内側へ折り畳むと、それに伴って外側へ押し広げている両側側面短手（１）の部分が三角形状（５）に折り畳まれて、口部より外側へ突き出るので、その両側側面へ突き出た三角形状（５）の部分を紙袋の側面下方へ折り曲げ乍、内側へ折り畳んだ相対する長手（２）、２辺のどちらか一方をもう一方の長手（２）の内側へ差し込み、下方へ折り曲げている三角形状（５）の部分を紙袋側面に接する迄折り曲げて紙袋上部口部に蓋をする。
【０００６】  紙袋の上部口部の相対する長手（２）、２辺を内側へ折り畳んで口部に蓋をする時、相対する長手（２）、２辺の一方をもう一方の内側へ差し込んで折り畳み口部より両側側面へ突き出た三角形状（５）の部分を下方へ折り畳んでいる為、重なり合った上側の蓋の長手（２）の部分が下側の蓋の長手（２）の部分を押さえ込む構造となり蓋は容易には開かなくなる。
【考案を実施するための最良の形態】  本考案の実施の形態について斜視図、展開図を参照して説明する。図１斜視図の紙袋口部両側側面短手（１）の部分を、図２展開図１のように外側へ押し広げ乍、図３展開図２のように紙袋口部の相対する長手（２）を互いに内側へ折り畳み、図４展開図３のように完全に折り畳むと紙袋口部両側側面に三角形状（５）の部分が突き出た状態になります。図５展開図４のように紙袋口部両側側面へ突き出た三角形状（５）の部分を下方へ折り曲げ乍、図６展開図５のように内側へ折り畳んだ長手（２）の部分の一方を相対するもう一方の長手（２）の部分の内側へ差し込んで、下方へ折り曲げている三角形状（５）の部分を紙袋側面に接する迄折り曲げると、図７のように完全に紙袋口部に蓋をすることができる。
【考案の効果】
【０００７】  本考案は上述のとおり構成されているので次に記載する効果を奏する。
【０００８】  請求項１の手提げ紙袋においては、紙袋口部に蓋がされているので外側から紙袋の中身が見えないので、人目を気にすることなく、また盗難等の被害に遭うのを避けることができる。
【図面の簡単な説明】
【図１】  紙袋口部に蓋をする前の手提げ紙袋の斜視図である。
【図２】  展開図１である。
【図３】  展開図２である。
【図４】  展開図３である。
【図５】  展開図４である。
【図６】  展開図５である。
【図７】  紙袋口部に蓋をした手提げ紙袋の斜視図である。
【符号の説明】
１    紙袋口部短手
２    紙袋口部長手
３    折り畳み線
４    手提げ紐
５    三角形状部
【図１】
0003125970.tif 000003
【図２】
0003125970.tif 000004
【図３】
0003125970.tif 000005
【図４】
0003125970.tif 000006
【図５】
0003125970.tif 000007
【図６】
0003125970.tif 000008
【図７】
0003125970.tif 000009
【手続補正書】
【提出日】平成18年7月5日(2006.7.5)
【手続補正１】
【補正対象書類名】実用新案登録請求の範囲
【補正対象項目名】全文
【補正方法】変更
【補正の内容】
【実用新案登録請求の範囲】
【請求項１】
手提げ紙袋の手提げ紐を通している穴の位置を下方へ少し移動して、紙袋の上部口部４辺を折り畳めるようにし、手提げ紙袋の上部口部４辺の内の両側側面短手（１）２辺を外側へ押し広げ乍、上部口部相対する長手（２）２辺を口部の真ん中で互いの先端が接するように内側へ折り畳むとそれに伴って、外側へ押し広げている両側側面短手（１）の部分が三角形状（５）に折り畳まれて口部より外側へ突き出るので、その両側側面へ突き出た三角形状（５）の部分を紙袋の側面下方へ折り曲げ乍、内側へ折り畳んだ相対する長手（２）２辺のどちらか一方をもう一方の長手（２）の内側へ差し込み、下方へ折り曲げている両側側面の三角形状（５）の部分を紙袋側面に接する迄折り曲げて上部口部に蓋をする手提げ紙袋。
(57)【要約】  【課題】  釣銭包装用フィルム・ロールのフィルム残存限界を容易に判別でき、釣銭包装作業の省力化および能率向上を図ること。  【解決手段】  透明または半透明フィルム２が釣銭用硬貨を一括して包装する。フィルム２は所定幅Ｗおよび所定長さＬ０を有し、ロール状に巻き付けられて、フィルム・ロール１を形成する。所定の色彩を施した彩色部分３がフィルム２の末端から始端に向かって所定長さＬｃに亘って設けられる。彩色部分３はフィルム２の全幅方向に亘って長手方向に沿って設けられるか、フィルム２の幅方向中央部に長手方向に沿って設けられるか、またはフィルム２の幅方向両側縁部の少なくとも一方の側に長手方向に沿って設けられる。【選択図】    図２
0003125673.tif 000002
【実用新案登録請求の範囲】
【請求項１】
所定幅および所定長さを有し、透明または半透明材料からなるフィルムをロール状に巻き付けた釣銭包装用フィルム・ロールにおいて、前記フィルムの末端から始端に向かって所定長さに亘って長手方向に沿って所定の色彩を施した彩色部分を設けた、釣銭包装用フィルム・ロール。
【請求項２】
前記彩色部分は前記フィルムの幅方向中央部に長手方向に沿って設けられている、請求項１に記載の釣銭包装用フィルム・ロール。
【考案の詳細な説明】
【技術分野】
【０００１】
本考案は、釣銭包装機械に使用するフィルム・ロールに関し、さらに詳しくは、透明または半透明フィルムをロール状に巻き付けた釣銭包装用フィルム・ロールに関する。
【背景技術】
【０００２】
釣銭（１円、５円、１０円、５０円、１００円、５００円等の硬貨）は、小売店、百貨店、飲食店等の商店または自動販売機において大量に消費される。そのために、釣銭包装機械が大量の釣銭を予め一括して包装し、釣銭を必要とする商店等に供給されている。この釣銭包装機械は、透明または半透明フィルムをロール状に巻き付けた釣銭包装用フィルム・ロール（例えば、長さ１００ｃｍ、直径２０ｃｍ）を通常使用している。釣銭包装機械は、フィルム・ロールを回転させながらフィルムを送り出し、フィルムの長手方向に沿って中央で折り曲げ、重合側端縁を融着して管状に形成し、所定長さの袋に所定量の釣銭を充填し、充填袋を密封し、個々に分離し、釣銭包装体を形成している。
【０００３】
釣銭包装機械の運転中にフィルムを連続して供給するために、供給中のフィルム・ロールがフィルムを出し切る直前に次の新しいフィルム・ロールを装着し、両ロールのフィルム端部を接続する必要がある。フィルム端部の接続作業は比較的簡単であるが、フィルムを出し切ってしまった場合には、釣銭包装機械の運転を一時停止し、新旧フィルム・ロールを交換し、新フィルム・ロールのフィルム先端を機械内の所定経路に縫通し、再度初期設定をし直さなければならない。この作業は多大な時間、労力、熟練を要し、包装業務全体に支障を来すことになる。ところが、フィルムは透明または半透明であるため、フィルム・ロールの残存量を判別し難く、作業者が別の作業中であったり、離れた場所に移動中であったりした場合に、フィルム切れの事態に到る場合がある。
【考案の開示】
【考案が解決しようとする課題】
【０００４】
本考案の課題は、釣銭包装用フィルム・ロールのフィルム残存限界を容易に判別でき、釣銭包装作業の省力化および能率向上を図ることにある。
【課題を解決するための手段】
【０００５】
本考案に基づく釣銭包装用フィルム・ロールは、所定幅および所定長さを有し、透明または半透明材料からなるフィルムをロール状に巻き付けたフィルム・ロールであって、フィルムの末端から始端に向かって所定長さに亘って長手方向に沿って所定の色彩を施した彩色部分を設けている。
【０００６】
彩色部分はフィルムの幅方向中央部に長手方向に沿って設けられる。また、この彩色部分はフィルムの全幅方向に亘って長手方向に沿って設けたり、フィルムの幅方向両側縁部の少なくとも一方の側に長手方向に沿って設けたりすることもできる。
【考案の効果】
【０００７】
本考案によれば、フィルム・ロールの使用中にフィルムに彩色部分が現れたとき、フィルム残存量が限界に達したことを直ちに把握できるので、フィルム・ロールの交換が円滑に行われる。特に、フィルムの全幅方向に彩色部分を設けた場合には、釣銭包装機械からかなり離れた位置からも彩色部分を認識できるので、フィルム切れによる作業中断を未然に防止できる。また、フィルムの幅方向側縁部に彩色部分を設けた場合には、フィルム・ロールの側面からフィルム残量限界を予め予測できる。
【考案を実施するための最良の形態】
【０００８】
次に、図面を参照して本考案に基づく釣銭包装用フィルム・ロールの具体的実施例について説明する。図１に示すように、フィルム２は、透明または半透明材料（例えば、ポリエチレン、ポリプロピレン等）からなり、所定幅Ｗ（例えば、１００ｃｍ）および所定長さＬ０（例えば、２００ｍ）を有している。フィルム２は、ロール状に巻き付けられて、フィルム・ロール１に形成される。フィルム２の末端から始端に向かって所定長さＬｃ（例えば、１０ｍ）に亘って長手方向に沿って所定の色彩（例えば、赤色）を施した彩色部分３が設けられている。
【０００９】
具体的には図１に示すように、彩色部分３は、フィルム２の全幅方向Ｗに亘って長手方向に沿って設けられる（Ａ）か、フィルム２の幅方向中央部に長手方向に沿って設けられる（Ｂ）か、フィルム２の幅方向両側縁部の一方側に長手方向に沿って設けられる（Ｃ）か、またはフィルム２の幅方向両側縁部に長手方向に沿って設けられる（Ｄ）。
【００１０】
図２に示すように、フィルム・ロール１がフィルム２を繰り出して、残量限界に近付いたとき、フィルム２に彩色部分３が現れる。そこで、作業者は旧フィルム・ロール１のフィルム２の末端付近と新フィルム・ロール１ａのフィルム２ａの始端とを接合すればよい。この作業は、釣銭包装機械を短時間一時停止するだけで簡単に行われる。
【産業上の利用可能性】
【００１１】
本考案のフィルム・ロールは、釣銭包装機械ばかりではなく、小物品の自動包装にも広く利用できる。
【図面の簡単な説明】
【００１２】
【図１】本考案に基づく釣銭包装用フィルム・ロールを構成するフィルムの末端部分の平面図である。
【図２】本考案に基づく釣銭包装用フィルム・ロールの斜視図であって、フィルムの接続作業を示す。
【符号の説明】
【００１３】
１、１ａ    フィルム・ロール
２、２ａ    フィルム
３    彩色部分
【図１】
0003125673.tif 000003
【図２】
0003125673.tif 000004
(57)【要約】【課題】  ゲルマニウム元素のコストダウンをし、人体足裏の血液循環促進を行うことを特徴とするゲルマニウム効果を有する靴の中敷の提供。【解決手段】  本考案のゲルマニウム効果を有する靴の中敷は、特に、靴の中敷1の表面110本体11に人体足裏4ツボ反射区41、42、43に基づいて複数のゲルマニウム粒2を配置した靴の中敷構造であり、その改良点は、靴の中敷1本体11表面110に複数のゲルマニウム粒2を設置、そのゲルマニウム粒2は、金属体21の外層をゲルマニウムメッキ層22で包んだフラットピース体である。そのゲルマニウム粒2のゲルマニウム元素のマイナス電子が分離する物理特性によって、体内のプラスマイナス電子のバランスを有効的に整え、並びに人体足裏4のツボ反射区41、42、43を直接マッサージする故、人体足裏4の血液循環が促進される。【選択図】        図１
0003125676.tif 000002
【実用新案登録請求の範囲】
【請求項１】
ゲルマニウム効果を有する靴の中敷は、靴の中敷の本体表面に複数のゲルマニウム粒を設け、そのゲルマニウム粒の設置位置は、人体足裏のツボ反射区に基づいて配置することを特徴とするゲルマニウム効果を有する靴の中敷。
【請求項２】
請求項１記載のゲルマニウム効果を有する靴の中敷において、前記ゲルマニウム粒は、金属体の外層をゲルマニウムメッキ層で包んだフラットピース体であることを特徴とするゲルマニウム効果を有する靴の中敷。
【考案の詳細な説明】
【技術分野】
【０００１】
本考案は、ゲルマニウム効果を有する靴の中敷に関するもので、特に、靴の中敷1の表面110に人体足裏のツボ反射区41、42、43に基づいてゲルマニウム粒2を配置した靴の中敷構造を提案するものであり、ゲルマニウム粒のゲルマニウム元素のマイナス電子分離を利用して、プラスマイナス電子のバランスを整え、人体足裏の血液循環を促成する。
【背景技術】
【０００２】
靴の中敷の種類は非常に多く、特に、足部健康に対する要求は枚挙に遑がなく、バイオテクノロジーにおける各種新元素の応用は不断なき向上を遂げ、その内、代表的なものには、ナノ技術及びゲルマニウム元素の応用があり、特に、ゲルマニウム元素の血液循環促進効果は多方面から証明されている。よって、如何にゲルマニウム元素を靴の中敷に応用するかは、業界が期待し努力を重ねている新技術である。
【考案の開示】
【考案が解決しようとする課題】
【０００３】
ゲルマニウム効果を有する靴の中敷のゲルマニウム元素は、３２℃でマイナス電子分離現象が発生する特性を持ち、この特性を利用して、足部3の失われたプラスマイナス電子のバランスを改善、人体足裏の血液循環を改善、促進する。
【０００４】
しかしながら、ゲルマニウム元素は稀少な貴金属であり、価格も非常に高く、実際応用においては、微量のゲルマニウム元素含量のみで血液循環促進効果を達成することができる。よって、いかにゲルマニウム元素を応用するか、いかに有効的にコストダウンするかが、現在業界が突破すべき新課題となっている。
【０００５】
本考案は、ゲルマニウム効果を有する靴の中敷を提案する。その改良点は、靴の中敷1の本体11表面110に複数のゲルマニウム粒2を設ける点にあり、そのゲルマニウム粒2は、人体足裏のツボ反射区41、42、43に基づいて配置、そのゲルマニウム粒2は、金属体21の外層をゲルマニウムメッキ層22で包んだフラットピース体であり、ゲルマニウム粒2のゲルマニウム元素の物理特性によりマイナス電子を放出、これにより、体内のプラスマイナス電子のバランスを整え、並びに人体足裏のツボ反射区41、42、43をマッサージする故、人体足裏4の血液循環促進効果を達成する。
【課題を解決するための手段】
【０００６】
請求項１の考案は、ゲルマニウム効果を有する靴の中敷は、靴の中敷の本体表面に複数のゲルマニウム粒を設け、そのゲルマニウム粒の設置位置は、人体足裏のツボ反射区に基づいて配置することを特徴とするゲルマニウム効果を有する靴の中敷としている。
請求項２の考案は、請求項１記載のゲルマニウム効果を有する靴の中敷において、前記ゲルマニウム粒は、金属体の外層をゲルマニウムメッキ層で包んだフラットピース体であることを特徴とするゲルマニウム効果を有する靴の中敷としている。
【考案の効果】
【０００７】
本考案のゲルマニウム効果を有する靴の中敷は、従来のゲルマニウム元素を用いた靴の中敷の問題を解決し、人体足裏の血液循環促進を行うことを特徴とする。
【考案を実施するための最良の形態】
【０００８】
図1、２に、本考案の提案するゲルマニウム効果を有する靴の中敷1を示す。その改良点は、靴の中敷1の本体11表面110に複数のゲルマニウム粒2を設ける点にあり、そのゲルマニウム粒2は、人体足裏のツボ反射区41、42、43に基づいて配置している（図４の人体足裏4のツボ反射区41、42、43を参照）。そのゲルマニウム粒2は、金属体21の外層をゲルマニウムメッキ層22で包んだフラットピース体である。
【０００９】
前述構造（図３参照）によると、そのゲルマニウム粒2中のゲルマニウム元素は、３２℃でマイナス電子分離現象が発生、足部3を靴の中敷1に接触すると、靴の中敷1のゲルマニウム粒2はそのゲルマニウム元素の物理特性によりマイナス電子を放出、これにより、足部3の失われたプラスマイナス電子のバランスを改善、人体足裏の血液循環を達成する。
【００１０】
前述のゲルマニウム粒2は、靴の中敷1表面110において人体足裏のツボ反射区41、42、43に基づいて配置されており、更にゲルマニウム元素のマイナス電子分離効果を強化、直接ツボをマッサージ、反射区を刺激して血液循環を促進する効果を達成する。
【００１１】
また、前述した本考案のゲルマニウム効果を有する靴の中敷は、ゲルマニウム粒2を人体足裏4のツボ反射区41、42、43に基づいて配列した構造であり、ゲルマニウム元素使用におけるコスト問題を解決する他、人体足裏4の血液循環を促進、特に、実用的、進歩的であるという効果をも持つ。
【図面の簡単な説明】
【００１２】
【図１】本考案に関する靴の中敷の立体表示図である。
【図２】本考案に関するゲルマニウム粒の断面表示図である。
【図３】本考案に関する実施例図である。
【図４】本考案に関する人体足裏ツボ反射区の分布図である。
【符号の説明】
【００１３】
１      靴の中敷
１１    本体
１１０  表面
２      ゲルマニウム粒
２１    金属体
２２    ゲルマニウムメッキ層
３      足部
４      人体足裏
４１、４２、４３  ツボ反射区
【図１】
0003125676.tif 000003
【図２】
0003125676.tif 000004
【図３】
0003125676.tif 000005
【図４】
0003125676.tif 000006
(57)【要約】【課題】電子名刺収納蓄蔵装置を提供する。【解決手段】電子名刺収納蓄蔵装置は、ディジタルカメラと中央処理ユニット、記憶装置、無線送受信ユニット及び表示装置からなり、ディジタルカメラは、定焦点機能を有し、伸縮して焦点距離を調整することが必要しなく、中央処理ユニットはエディタと分類器等が設置され、撮影内容について、編集変換や対比分類をしてデータとして蓄蔵し、データ、無線送受信ユニットにより、例えば、遠赤外線等のブルートゥース機能を有する設計により、直接にコンピュータと送信や受信を実行する。【選択図】図３
0003125650.tif 000002
【実用新案登録請求の範囲】
【請求項１】
焦点距離を固定する定焦点機能を有することにより、撮影する時、焦点距離を調整することが必要しなく、近距離で名刺を撮影してデータ撮影読取りをするディジタルカメラと、
エディタと分類器とが設けられ、撮影内容について、編集変換や対比分類をしてデータを蓄蔵する中央処理ユニットと、
中央処理ユニットにより編集分類済みのデータを蓄蔵する記憶装置と、
遠赤外線等のブルートゥース(Ｂｌｕｅ  Ｔｏｏｔｈ)無線伝送により、中央処理ユニットにより処理されたデータを、直接にコンピュータと、或いは本考案に係わる装置と、互いに送信や受信することにより、情報交換の機能が実現される無線送受信ユニットと、
従来より大きいスクリーンを有する表示装置と、が含有される、ことを特徴とする電子名刺収納蓄蔵装置。
【考案の詳細な説明】
【技術分野】
【０００１】
本考案は、電子名刺収納蓄蔵装置に関し、特に、携帯方便や実用及び多機能である名刺収納用で、名刺を交換する時、活用できる電子収納蓄蔵装置に関する。
【背景技術】
【０００２】
従来の名刺識別機能を有する撮影可能の電子装置は、伝送モジュールで画像データを入力し、プロセッサユニットにより処理された後、蓄蔵して、一般のディスプレーによって表示される。
【０００３】
上記のような概念による電子装置は、受動モードで、プロセッサユニットを介してディスプレーとの伝送が有線であるだけでなく、回路板全体と電源供給器及びスイッチ等を、ＰＤＡと同じ大きさの盒状である電子装置に収納し、そのため、ディスプレーのスクリーンを大きくすることができなく、また、記憶装置の容量も限られる。
【０００４】
伝送モジュールは、スキャナーや一般のディジタル撮影器材を利用しても、画像をスキャンする時、画像のスキャン読取りが不安定であるため、伝送モジュールにより、確実に機能を発揮することができない。そのため、上記のような従来の受動モードである名刺識別機能を有する電子装置は、スクリーンの大きさが十分ではなく、体積を縮小することができなく、画像のスキャン読取りが不安定である実用的ではない問題がある。
【考案の開示】
【考案が解決しようとする課題】
【０００５】
本考案の主な目的は、遠赤外線等のブルートゥース(Ｂｌｕｅ  Ｔｏｏｔｈ)無線伝送を有する装置を活用して、名刺収納内容を、コンピュータにある情報と交換して編集することにより、或いは、本考案の装置同士の互いにデータを伝送することにより、表示や蓄蔵することが、変化富みであり、また、必要に応じて、コンピュータに接続できる、高効率且つ高実用性の電子名刺収納蓄蔵装置を提供する。
【０００６】
本考案の他の目的は、従来のスキャンしてファイルを保存するモードの代わりに、ディジタルカメラにより、定焦点且つ近距離で直接に撮影することにより、データ読取りの故障率が低く、データ読取りの手続きが簡単且つ安定で、容易にミスしなくて、また、定焦点であるため、レンズを伸縮することが必要なく、より軽薄化でき、携帯に便利である電子名刺収納蓄蔵装置を提供する。
【課題を解決するための手段】
【０００７】
本考案は、上記の目的を達成するために、焦点距離を固定する定焦点機能を有することにより、撮影する時、焦点距離を調整することが必要しなく、近距離で名刺を撮影してデータ撮影読取りをするディジタルカメラと、エディタと分類器とが設けられ、撮影内容について、編集変換や対比分類をしてデータを蓄蔵する中央処理ユニットと、中央処理ユニットにより編集分類済みのデータを蓄蔵する記憶装置と、遠赤外線等のブルートゥース(Ｂｌｕｅ  Ｔｏｏｔｈ)無線伝送により、中央処理ユニットにより処理されたデータを、直接にコンピュータと、或いは本考案に係わる装置と、互いに送信や受信することにより、情報交換の機能が実現される無線送受信ユニットと、従来より大きいスクリーンを有する表示装置と、が含有される、ことを特徴とする電子名刺収納蓄蔵装置である。
【考案を実施するための最良の形態】
【０００８】
図１乃至３を参照しながら、本考案に係わる電子名刺収納蓄蔵装置は、３０万から３００万画素の撮影レンズを利用し、また、焦点距離を固定する定焦点機能により、焦点距離を調整することが必要しなく、近距離で名刺を撮影してデータ撮影読取りをするディジタルカメラ１と、エディタ２０と分類器２１とが設けられ、撮影内容について、編集変換や対比分類をして、データを蓄蔵し、また、ＵＳＢやＳＤ等のスロットによりコンピュータ６に接続されることができる中央処理ユニット２と、中央処理ユニット２により編集分類された後のデータを蓄蔵する記憶装置３と、遠赤外線等のブルートゥース(Ｂｌｕｅ  Ｔｏｏｔｈ)無線伝送の方法により、中央処理ユニット２により編集処理済みのデータを、直接にコンピュータ６と、或いは本考案の装置と、送信や受信することにより、情報交換の機能が実現される無線送受信ユニット４と、従来より大きいスクリーンを有する表示装置５と、が含有される。
【０００９】
本考案は、図４を参照しながら、使用する時、まず、定焦点であるディジタルカメラ１により、焦点距離を調整する必要がなく、直接に近距離で名刺の内容を撮影し、また、中央処理ユニット２のエディタ２０や分類器２１により、撮影内容について編集変換や対比分類をしてデータを蓄蔵し、当該データは、無線送受信ユニット４により、遠赤外線等のブルートゥース(Ｂｌｕｅ  Ｔｏｏｔｈ)機能を有する技術で、直接に送信や受信し、これにより、本考案に係わる装置は、撮影内容について編集変換や対比分類をしてデータを蓄蔵し、また、遠赤外線等のブルートゥース(Ｂｌｕｅ  Ｔｏｏｔｈ)の技術により、コンピュータ６と、或いは、本考案に係わる装置同士と、互いに送信や受信することにより、情報交換の機能が実現され、また、コンピュータ６で、或いは、本考案に係わる装置で、名刺の編集を行うことを選択できる。
【図面の簡単な説明】
【００１０】
【図１】本考案の外観立体概念図
【図２】本考案の他の方向からの外観立体概念図
【図３】本考案の論理回路のブロック流れ概念図
【図４】本考案の実施例概念図
【符号の説明】
【００１１】
１          ディジタルカメラ
２          中央処理ユニット
２０        エディタ
２１        分類器
３          記憶装置
４          無線送受信ユニット
５          表示装置
６          コンピュータ
【図１】
0003125650.tif 000003
【図２】
0003125650.tif 000004
【図３】
0003125650.tif 000005
【図４】
0003125650.tif 000006
(57)【要約】【課題】  本考案は鮎友釣の仕掛けの一部分逆鉤に両天秤を固定させて両天秤の先から、鉤の付いたハリスを各々たらし鉤と出会う野鮎の接点を左右横に広げたことで効率よく野鮎が掛かってくる。【解決手段】  本考案は鮎の習性変化と色々な原因で釣れなくなった鮎と今後も続く知恵比べ、この手段をして誰も容易に使えて且つ安価であり釣り味も究極的な仕掛けである。【選択図】図２
0003125647.tif 000002
【実用新案登録請求の範囲】
【請求項１】
鮎の友釣りにはオトリのしりびれに逆さ鉤を打ち、鉤をつけたハリスは一本のみが普通だが、本品は逆さ鉤と固定した両天秤が一体で、オトリ鮎のしりびれに逆さ鉤を打てば天秤がオトリと適従の上、左右両側に張り出した両天秤のハリス止めより鉤付きハリスを両方たらし、野鮎の出会い率を高め釣り人２人分の鉤で群れ鮎でも確率良く掛かる鮎逆さ鉤付き両天秤掛け。
【考案の詳細な説明】
【技術分野】
【０００１】
本考案は鮎の友釣りでオトリ鮎一尾に、二尾分の鉤を左右に流したものである。
【背景技術】
【０００２】
最近の友釣りは年々掛からなくなった、と誰もが嘆く、原因は多くある。昔から鮎は一年魚で秋に産卵後孵化した稚魚はすぐ温い海に下り、プランクトンを食べたら春に母なる川へ群れで上って来るが、何十年前当りから人工孵化した稚魚を作り各河川に放流し始めた。この辺から様子が変化しだして過保護に餌を与えられた稚魚はスクスク育ち何の苦労知らずに自然界に放流され大雨の泥濁り水・冷水病・天敵の川鴨の大繁殖等により近年ダメージが大きく、その上闘争心もなくし縄張りよりも団体行動の群れ鮎ばかりで本来の生態系まで変りつつある。
【考案の開示】
【考案が解決しようとする課題】
【０００３】
日本独特の風情ある鮎の友釣りは、釣りの芸術とも言われ最高にリフレッシュして無我の境地は年輩者も出来るスポーツとしては実に嬉しい安値で楽しく使える釣具開発で友釣り人口減少に歯止め貢献したい。
【課題を解決するための手段】
【０００４】
現今ではハリス一本に鉤は一ヶ所であるのに比べて本考案の両天秤掛けは左右両方の二ヶ所の鉤で鮎との出会いと遭遇の確率を高くしたもので当然釣果は伸びるものである。
【考案の効果】
【０００５】
本考案は逆さ鉤と両天秤が固定してあるので、回転せず左右の両天秤鉤が程よい間隔で絡むことなく鮎の泳ぎと同じく上下に前後に左右と自由に激しい泳ぎにも常に適従安定して、従来の一本ハリスよりも不具合が少なくなり、初心者でも面白い釣が出来る。
【考案を実施するための最良の形態】
【０００６】
釣具はシンプルが良い。友釣りは鮎取り込みの度にオトリ鮎を交換する為、早い手返しとリズムが大事。その点、現今主流の三本イカリ鉤・四本イカリ鉤では玉網からの手返しに苦労するが、この両天秤掛けは手返しが早く重めの一本鉤を両サイドに使用した為、殆んど背掛りで小気味良い引きと、たまには二匹掛けが来て嬉しい悲鳴。
【実施例】
【０００７】
以下添付図に従って実施例を説明する。１の真鍮の細針金０．４５ｍｍ一本で曲加工した鮎逆さ鉤付き両天秤掛けに、２の逆さ鉤と３の道糸止を固定して完成。釣竿から来た道糸をハナカン経由で３の道糸止に止める。
左右の両天秤の先にも４のハリス止めもある。釣り始めこの穴にハリスを入れて引くだけで簡単にセット出来る。又、終ってから仕舞う時も引くだけではずせる。
【図面の簡単な説明】
【０００８】
【図１】本考案の鮎逆さ鉤付き両天秤掛けの正面図である。
【図２】本領天秤掛けの実施例を示す斜視図である。
【符号の説明】
【０００９】
１．鮎逆さ鉤付き両天秤掛け本体
２．逆さ鉤
３．道糸止
４．ハリス止
５．ハリス
６．鮎掛鉤
７．しりびれ
８．オトリ鮎
【図１】
0003125647.tif 000003
【図２】
0003125647.tif 000004
(57)【要約】【課題】コップを持てても手首を返せず飲めない人でも、誰でも楽に楽しんで飲める自在反転カップ。【解決手段】本考案は、１のコップの５のリブに３の反転補助レバーの軸穴に６の反転補助軸を通し５の軸穴に圧入して３が左右に軽く振れるのを確認後、５のリブに２の把手の７のリブを合わせ８の主回転軸を通し５のリブに８をネジ込み固定すると把手付カップとなり把手を普通に握り反転補助レバーを親指で押し下げるとコップが軽く回転し親指を離すと垂直に戻る構造にした自在反転カップとする。【選択図】  図１
0003125646.tif 000002
【実用新案登録請求の範囲】
【請求項１】
お年寄りがコップで飲料水や水薬を飲むのに手首を返せなくて自力で飲めなく介助を受けざるを得ない現状が見受ける、お年よりも自力で自由に飲みたい希望もあるので手首を返さなくてもコップのみが反転するように把手とカップの接合部に回転装置を設け把手の位置はそのままで反転補助レバーを下方に押し下げるだけで手首を返さなくてもカップが傾くようにした自在反転カップ。
【考案の詳細な説明】
【技術分野】
【０００１】
本考案は手首を返せなくても握力があれば誰でもが簡単に飲用できる反転コップに関するものである。
【背景技術】
【０００２】
色々な介護用飲用容器が市販され特許文献などにもあるが手首を返さなければ飲用できない容器ばかりである。
【特許文献１】特開２００４−４９３０６
【考案の開示】
【考案が解決しようとする課題】
【０００３】
お年寄りが手首を返せなく自分で飲用できず介助に頼ってると手指の機能の老化が進むのが懸念されるし、本人も自分で飲めるなら飲みたい希望があるかぎりリハビリを兼ね、これ等を解決するものである。
【課題を解決するための手段】
【０００４】
本考案はコップと把手を反転軸で支え互いが自由に回転するようにする。
【０００５】
把手は垂直のままでコップのみを反転するようにする。
【０００６】
コップ側のリブに反転補助レバー設けレバーは左右に振れ把手側から見て左に倒すと右手用反転コップとする。
【０００７】
親指の先で反転補助レバーを押し下げるとコップが回転するようにする。
【０００８】
回転軸の取付け位置はコップの底辺に重量が多くかかる位置にして親指を離すと垂直に戻るようにする。
【０００９】
回転部の摺動面は回転抵抗を最小限になる構造にする。
【００１０】
材質は耐久性のある金属や陶器類若しくは強化プラスチック等の適宣素材で形成されるものとする。
【考案の効果】
【００１１】
手首の返せないお年寄りが楽しく自分で飲料水を飲めるし、自立補助ともなり介助も楽になる。
【考案を実施するための最良の形態】
【００１２】
右手で自在反転カップを使う場合は、普通に把手を握り親指で反転補助レバーを軽く下方に押し下げるとコップが傾き親指を離すとコップはどの角度にあっても垂直に戻るので置くときも安全である。
【実施例】
【００１３】
以下、添付図１に従って実施例を説明する、コップ１，把手２，反転補助レバー３，反転部４からなる自在反転コップの３を回転させる側に倒すと図２のようになり２の把手を普通に握り図２の反転補助レバーの頭部を押し下げると図３に示す８の主回転軸を介して１のコップが回転する。
【図面の簡単な説明】
【００１４】
【図１】本考案の自在反転カップを示す図である。
【図２】反転補助レバーの拡大図である。
【図３】自在反転部拡大断面図である。
【図４】反転カップが９０度傾斜した図である。
【符号の説明】
【００１５】
１  コップ
２  把手
３  反転補助レバー
４  反転部
５  カップ側リブ
６  反転補助レバー軸
７  把手側リブ
８  主回転軸
【図１】
0003125646.tif 000003
【図２】
0003125646.tif 000004
【図３】
0003125646.tif 000005
【図４】
0003125646.tif 000006
(57)【要約】【課題】  箸袋で包装された箸に対して、消費者は外観から清潔であるという印象を与えられるに過ぎず、従来の箸袋はデザインにのみ着目され、衛生面については積極的な改善が行われていない。すなわち、箸袋の製造工程や箸の包装工程に一貫した殺菌工程が存在せず、箸や箸袋には少なからず雑菌が付着しているものである。  一方、箸を包装する箸袋はゴミの分別や加工の容易さから紙が主体となっているが、十分な抗菌性があるものとはいえない。食器に対して無機物や化学合成品からなる抗菌剤の添加も行われているが、消費者の安全意識の高まりから、食器への合成抗菌剤等の使用は敬遠される傾向にある。【解決手段】  箸袋の原料となる紙に天然物由来の抗菌物質であるキトサンを塗布もしくは添加することにより、抗菌効果を付与した箸袋を提供する。【選択図】図１
0003125609.tif 000002
【実用新案登録請求の範囲】
【請求項１】
箸袋となる紙の製紙工程でキトサンを添加することにより得られる抗菌紙を用いた箸袋。
【請求項２】
箸袋となる紙の加工工程でキトサンを塗布することにより得られる抗菌紙を用いた箸袋。
【考案の詳細な説明】
【技術分野】
【０００１】  本考案は、従来の箸袋に製造原料にキトサンを加えることによって、抗菌効果を付与した箸袋に関するものである。
【背景技術】
【０００２】  主として箸の包装に用いられる箸袋は紙を主体とし箸の一部もしくは全体を収納可能な袋状部を有する筒状に形成され、袋状部に箸を差込み、あるいは箸全体を包被して、箸を汚さず保管するものである。更には紙への印刷の容易さにより、デザインや情報を有するものもある。【０００３】  また、箸は食品を扱い、人間の口に触れるものであるため、微生物汚染等の衛生面には注意を払う必要がある。【０００４】  一方、食品由来の抗菌物質としてキトサンが注目され、繊維や医薬品等、幅広い分野へ応用されている。特に、天然物由来の安全性に着目され、食品への添加も行われている。
【考案の開示】
【考案が解決しようとする課題】
【０００５】  箸袋で包装された箸に対して、消費者は外観から清潔であるという印象を与えられるに過ぎず、従来の箸袋はデザインにのみ着目され、衛生面については積極的な改善が行われていない。すなわち、箸袋の製造工程や箸の包装工程に一貫した殺菌工程が存在せず、箸や箸袋には少なからず雑菌が付着しているものである。【０００６】  一方、箸を包装する箸袋はゴミの分別や加工の容易さから紙が主体となっているが、十分な抗菌性があるものとはいえない。食器に対して無機物や化学合成品からなる抗菌剤の添加も行われているが、消費者の安全意識の高まりから、食器への合成抗菌剤等の使用は敬遠される傾向にある。【０００７】  本考案は、上述した問題を解決するためになされたものであり、箸袋の原料となる紙に天然物由来の抗菌物質であるキトサンを添加することにより、抗菌効果を付与した箸袋を提供することを目的としている。
【課題を解決するための手段】
【０００８】  この目的を達成するために請求項１記載の箸袋となる紙の製紙工程でキトサンを添加することにより得られる抗菌紙を用いた箸袋においては、箸袋となる紙の製紙工程でキトサンを添加することにより箸袋本体に抗菌効果を付与することである。【０００９】  この目的を達成するために請求項２記載の箸袋となる紙の加工工程でキトサンを塗布することにより得られる抗菌紙を用いた箸袋においては、箸袋となる紙の加工工程でキトサンを塗布することにより箸袋本体に抗菌効果を付与することである。
【考案の効果】
【００１０】  請求項１および請求項２記載の抗菌効果を付与した箸袋によれば、包装された箸は有害微生物から衛生的に保持され、保存、輸送時の二次汚染も抑制することができる。使用される抗菌物質であるキトサンは天然物由来のため、安全性に敏感な消費者に対しても受け入れやすいものとなる。また、包装される箸は使い捨ての割り箸の他、木材、樹脂、プラスチック製の再利用可能な箸に対しても有用である。
【考案を実施するための最良の工程】
【００１１】  以下、本考案の好ましい実施例について、添付図面を参照して説明する。請求項１記載の箸袋となる紙の製紙工程で添加されるキトサンは、食品等に用いられる抗菌性を有するものであれば良い。好ましくは、分子量１０，０００以下に低分子化されたキトサンとする。
【００１２】  箸袋となる紙の製紙工程でキトサンを添加する際は、使用するキトサンの抗菌性にあわせた濃度で、キトサンを製紙原料に添加すればよい。好ましくは、製紙原料に対するキトサンの重量比濃度を０．５〜１０％とする。
【００１３】  請求項２記載の箸袋となる紙の加工工程で塗布されるキトサンは食品等に用いられる抗菌性を有するものであれば良い。好ましくは、分子量１０，０００以下に低分子化されたキトサンとする。
【００１４】  箸袋となる紙の加工工程でキトサンを塗布する際は、使用するキトサンの抗菌性にあわせた濃度で、キトサンを製紙原料に添加すればよい。好ましくは、塗布液に対するキトサンの重量比濃度を０．５〜１０％とする。
【００１５】  キトサンを塗布した原紙は、一般的な箸袋の製法で加工可能である。
【００１６】  箸袋の形状は、割り箸に多く用いられる表面の一部を切り欠き（図１ｂ）、箸の一端（図１ａ）が露出するもの、もしくは箸（図２ａ）を完全に被うもののいずれでも良い。
【図面の簡単な説明】
【００１７】
【図１】本考案に係る箸の一端が露出する箸袋の形状。
【図２】本考案に係る箸を完全に被う箸袋の形状。
【図１】
0003125609.tif 000003
【図２】
0003125609.tif 000004